(57)【特許請求の範囲】
【請求項１】
計測された光入力信号の受光パワー値が第１の閾値以下のときに受光パワー低下情報を出力し、第２の閾値以下のときにＬＯＳアラームを出力する光入力部と、
前記光入力信号に含まれる同期クロックを抽出し、同期はずれのときにＬＯＬアラームを出力する同期部と、
前記受光パワー低下情報の有無を判定し、有りの場合は前記ＬＯＬアラームの出力によって前記ＬＯＳアラームを有効にし、無しの場合は前記ＬＯＳアラームを直ちに有効にして、その有効なＬＯＳアラームによって光入力断を検出する光入力断検出部と、
を有することを特徴とする光入力断検出装置。
【請求項２】
前記光入力断検出部は、前記有りの場合は前記ＬＯＬアラーム出力によって前記ＬＯＳアラームを有効にするのに代えて、前記ＬＯＬアラーム出力を有効なＬＯＳアラームとみなすことを特徴とする請求項１に記載の光入力断検出装置。
【請求項３】
さらに、前記同期クロックを用いて再生された受信データのＢＥＲを計測し、所定のＢＥＲ値以上のときにＳＤレベルの障害状態と判定するＢＥＲ計測部を有することを特徴とする請求項１又は２に記載の光入力断検出装置。
【請求項４】
前記ＳＤレベルの障害状態におけるＢＥＲ値は、ＬＯＳレベル又はＬＯＬレベルの障害状態におけるＢＥＲ値よりも小さいことを特徴とする請求項３記載の光入力断検出装置。
【請求項５】
前記ＬＯＳレベル又は前記ＬＯＬレベルの障害状態におけるＢＥＲ値は、ＳＦレベルの障害状態におけるＢＥＲ値と実質的に等しいことを特徴とする請求項４記載の光入力断検出装置。
【請求項６】
前記光入力信号の受光パワー値の計測が所定周期毎に行われ、前記ＬＯＳアラームは前記受光パワー値と前記第２閾値との比較に基づき生成され、前記受光パワー低下情報は前記ＬＯＳアラームの生成された時点から所定の遅延時間経過後に出力されることを特徴とする請求項１又は２記載の光入力断検出装置。
【請求項７】
光信号の送受信を行う光トランシーバであって、光入力信号の受光パワーを計測し、それが第１の閾値以下のときに受光パワー低下情報を出力し、第２の閾値以下のときにＬＯＳアラームを出力する光入力部を含む光トランシーバと、
前記光入力信号に含まれる受信データの同期再生を行うクロック・データ再生部であって、前記光入力信号に含まれる同期クロックを抽出し、同期はずれのときにＬＯＬアラームを出力する同期部を含むクロック・データ再生部と、
前記受光パワー低下情報の有無を判定し、有りの場合は前記ＬＯＬアラームの出力によって前記ＬＯＳアラームを有効にするか又は前記ＬＯＬアラームを有効なＬＯＳアラームとみなし、無しの場合は前記ＬＯＳアラームを直ちに有効にするＬＯＳ制御部と、
前記受信データの処理を行うデータ処理部であって、前記同期クロックを用いて再生された受信データのＢＥＲを計測し、所定のＢＥＲ値以上のときにＳＤレベルの障害状態と判定してその障害状態を記録するＢＥＲ計測部を含み、そして前記有効なＬＯＳアラームによって光入力断の障害処理を実行するデータ処理部と、
で構成することを特徴とする光伝送装置。
【請求項８】
光信号の送受信を行う光トランシーバであって、光入力信号の受光パワーを計測し、それが第１の閾値以下のときに受光パワー低下情報を出力し、第２の閾値以下のときにＬＯＳアラームを出力する光入力部を含む光トランシーバと、
前記受光パワー低下情報の有無を判定し、有りの場合はビット・エラー・アラーム出力によって前記ＬＯＳアラームを有効にし、無しの場合は前記ＬＯＳアラームを直ちに有効にするＬＯＳ制御部と、
前記光信号に含まれる受信データの処理を行うデータ処理部であって、前記受信データのＢＥＲを計測し、それが第１のＢＥＲ値とそれより大きな第２のＢＥＲ値との間にあるときはＳＤレベルの障害状態と判定してその障害状態を記録し、前記第２のＢＥＲ値以上のときは前記ビット・エラー・アラームを出力し、そして前記有効なＬＯＳアラームによって光入力断の障害処理を実行するデータ処理部と、
で構成することを特徴とする光伝送装置。
【発明の詳細な説明】
【技術分野】
【０００１】
本発明は光伝送装置に関し、特にＳＤＨ (Synchronous Digital Hierarchy) やＳＯＮＥＴ (Synchronous Optical Network) 等の同期光通信網において、端局や中継局等が受信する光信号の入力断を検出するための光入力断検出装置に関するものである。
【背景技術】
【０００２】
同期光通信網内の端局や中継局は、対向局から受信する光信号の入力レベル監視や受信データの誤り率の算出等を行って光入力断等の異常を検出する装置を備えている。光入力断（ＬＯＳ： Loss of Signal）等の異常が検出されると、端局や中継局は、正常な通信状態を維持するためにワーク系からプロテクト系へ通信経路を切り替えたり、局内のオペレータ端末や次段の端局等へその旨の警報を出力する。【０００３】
図１には、光伝送装置における従来の光入力断検出装置の一構成例を示している。
図１において、対抗局から送出された光信号は自局の光トランシーバ１に入力され、そこで光−電気（Ｏ／Ｅ: Optical/Electrical) 変換されたデータが、クロック・データ再生部（ＣＤＲ: Clock & Data Recovery) ２へ入力される。【０００４】
光トランシーバ１は、図示しない光出力一定制御部等を含んでおり、光ＡＧＣ制御信号等を使って所定の光入力レベル以下の信号を検出すると重度の障害（ＳＦ： Signal Failure）に相当する光入力断（ＬＯＳ）アラームをデータ処理部３へ出力する。【０００５】
クロック・データ再生部２では、入力データ信号に含まれるクロック成分を抽出して受信クロックを再生し、その抽出したクロックによって入力データをサンプリングすることで対向局からの受信データを再生する。クロック・データ再生部２で再生されたデータ及びクロックは共にデータ処理部３へ出力される。【０００６】
データ処理部３は、受信データの復号処理を行って送信元のデータを復元する。その際に、受信データのビット誤り率（ＢＥＲ： Bit Error Rate）を算出して通信回線の劣化レベルを判定し、ＢＥＲが所定値以上になるとＳＦより軽度の障害に相当する信号劣化（ＳＤ: Signal Degrade）と判定してその情報を記録する。【０００７】
また、データ処理部３は、ＬＯＳアラームを検出するとワーク系からプロテクト系への系間切り替えや回線異常の警報処理を実行すべく、連続するデータ値“０”のデータを次段に出力する。【０００８】
図２には、従来の光入力断検出装置の別の構成例を示している。
本例では、図１の光トランシーバ１からのＬＯＳアラームに変えて、クロック・データ再生部２の内部にあるＰＬＬ (Phase Locked loop) 回路等が出力する非同期（自走）状態を示す同期はずれ（ＬＯＬ: Loss of Lock）アラームを重度の障害（ＳＦ）に対応させてデータ処理部３へ出力する。その他は図１の構成と同様である。なお、ここではＳＤＨ関連の民間団体であるＭＳＡ（Multi Source Agreement）の共通スペックを満足する市販のＣＤＲデバイスをクロック・データ再生部２において使用している。【０００９】
本例も、データ処理部３は、ＬＯＬアラームを検出すると、ワーク系からプロテクト系への系間切り替えや回線異常の警報処理を実行すべく、連続するデータ値“０”のデータを次段に出力する（特許文献２参照）。
（特許文献１）特開２００１−３３９３４７号公報
（特許文献２）特開平７−９５１５６号公報【００１０】
図１の従来構成では、データ処理部３が算出する信号エラー（ＢＥＲ）とは無関係に光トランシーバ１で受光レベルに基づいてＬＯＳアラームを出力するため、軽度の障害ＳＤ、重度の障害ＳＦの順序で障害が検出されない場合が生じ得る。通常、図１のＬＯＳはＳＦと同等の障害レベルに設定されており、例えばＳＤはＢＥＲ ＩＥ−６（１０−６）、そしてＬＯＳ（ＳＦ）はＢＥＲ ＩＥ−４（１０−４）程度に設定される。【００１１】
その結果、本来は現用システムの継続運用が可能なレベルＳＤで検出されるべきものが重度の回線障害ＳＦとして検出される場合が生じ得る。また、局の保守員やベンダーは、障害原因を究明するために障害発生に至るまで又は障害発生時におけるＢＥＲの解析を行うが上記の場合はそれができず、そのためＢＥＲを用いた障害監視が有効に機能しないという問題があった。【００１２】
また、図２の従来構成では、市販のＣＤＲデバイスが重度の障害（ＳＦ）であるＢＥＲ ＩＥ−４程度で同期はずれのＬＯＬアラームを出力することを利用しているが、そのＬＯＬの検出速度、すなわち光入力断から同期はずれを検出するまでの時間、がＰＬＬ等の回路構成上の制限によって仕様ＧＲ−２５３で規定する１００μＳ以内のＳＦ検出時間を満足できないとい問題があった。【００１３】
そのため、上述したＬＯＬの検出機能とは別に、従来の光トランシーバ１では光入力レベルが所定のレベル以下に低下するとデータ値“０”の連続信号を出力することを利用して、クロック・データ再生部２がそれを検出すると直ちにＬＯＬアラームを出力させる手法も用いられていた。【００１４】
しかしながら、近年の光トランシーバ１は、受信感度の向上や受信レンジの拡大のために光出力一定制御と関連する増幅器を内蔵しており、光信号が雑音レベルの小信号であっても雑音を含む増幅後のデータが出力される構造を有している。そのため、次段のクロック・データ再生部２で上記の従来手法（連続するゼロ検出）が利用できなくなっていた。
【発明の開示】
【００１５】
そこで本発明の目的は、上記問題点に鑑み、受信した光信号の入力レベルを監視し、光入力レベルが所定レベル以上では重度の障害（ＳＦ）を直ちに検出し、反対に光入力レベルが所定レベル以下では軽度の障害（ＳＤ）の検出を優先させ、その検出後に重度の障害（ＳＦ）の検出を許可することで、光入力レベルに基づく早期のＳＦ検出とＳＤからＳＦへの検出順序の確保とを両立させた光入力断検出装置を提供することにある。
【００１６】
本発明によれば、光入力信号の受光パワーの計測に基づいて受光パワー低下情報とＬＯＳアラームとを出力する光入力部と、前記光入力信号に含まれる同期クロックを抽出し、同期はずれのときにＬＯＬアラームを出力する同期部と、前記受光パワー低下情報の有無を判定し、有りの場合は前記ＬＯＬアラームの出力によって前記ＬＯＳアラームを有効にし、無しの場合は前記ＬＯＳアラームを直ちに有効にして、その有効なＬＯＳアラームによって光入力断を検出する光入力断検出部と、を有する光入力断検出装置が提供される。
【００１７】
前記光入力断検出部は、また前記有りの場合は、前記ＬＯＬアラーム出力によって前記ＬＯＳアラームを有効にするのに代えて前記ＬＯＬアラーム出力を有効なＬＯＳアラームとみなす。前記光入力断検出装置は、さらに前記同期クロックを用いて再生された受信データのＢＥＲを計測し、所定のＢＥＲ値以上のときにＳＤレベルの障害状態と判定するＢＥＲ計測部を有する。
【００１８】
前記ＳＤレベルの障害状態におけるＢＥＲ値は、ＬＯＳレベル又はＬＯＬレベルの障害状態におけるＢＥＲ値よりも小さい。また、前記ＬＯＳレベル又は前記ＬＯＬレベルの障害状態におけるＢＥＲ値は、ＳＦレベルの障害状態におけるＢＥＲ値と実質的に等しい。そして、前記受光パワー低下情報は、前記受光パワー低下情報は、所定周期毎に出力されるか、又はその情報が取得された時点から所定の遅延時間経過後に出力される。
【００１９】
本発明によれば、光入力レベルが十分に大きな受信状態（受光パワー低下情報の無し）では、光入力断（ＬＯＳ）が検出されるのは、装置故障や回線切断等による重度の障害（ＳＦ）によってのみ発生するため、この場合には直ちにＬＯＳを検出して仕様ＧＲ−２５３の１００μＳ以内のＳＦ検出時間を満足させる。
【００２０】
一方、光入力レベルが最小受信レベル以下に低下する状態（受光パワー低下情報の有り）は、通常は対向局からの受光レベルが受信局の最小受信レベルよりも十分に大きいことから、局内装置、局間伝送路の経時劣化や周囲温度の変化等によって徐々に生じたものと仮定できる。そのため、光入力信号レベルが低下した状態では、システムの継続運用中にＢＥＲを計測してシステムの継続運用が可能な軽度の障害（ＳＤ；ＢＥＲ ＩＥ−６）を検出し、そのＳＤ検出を条件（ＳＤ検出後）にさらに障害が進んだ重度の障害（ＬＯＬ；ＢＥＲ ＩＥ−４）を検出する。
【００２１】
これにより、ＢＥＲによる障害監視機能を用いて重度の障害に至るまでの具体的な障害解析が可能となり、局やシステム全体の保守作業も格段に容易となる。また、上述したことから本発明では上述した従来手法（連続するゼロ検出）は不要となり、市販のＣＤＲデバイスを利用した低コストで効率的な装置設計が可能となる。
【図面の簡単な説明】
【００２２】
【図１】従来の光入力断検出装置の一構成例を示した図である。
【図２】従来の光入力断検出装置の別の構成例を示した図である。
【図３】本発明による光入力断検出装置の第１の実施例を示した図である。
【図４】ＬＯＳ制御部の制御フローの一例を示した図である。
【図５】ＬＯＳ制御部の具体的な回路構成の一例を示した図である。
【図６】図３の動作タイムチャートの一例（１）を示した図である。
【図７】図３の動作タイムチャートの一例（２）を示した図である。
【図８】本発明による光入力断検出装置の第２の実施例を示した図である。
【図９】図８の動作タイムチャートの一例（１）を示した図である。
【図１０】図８の動作タイムチャートの一例（２）を示した図である。
【発明を実施するための最良の形態】
【００２３】
図３は、本発明による光入力断検出装置の第１の実施例を示したものである。
図３において、光トランシーバ１、クロック・データ再生部（ＣＤＲ）２、及びデータ処理部３は従来例と同様である。従って、ここではさらに説明しない。なお、光トランシーバのＭＳＡ化により、近年の光トランシーバ１は光出力パワー、内部温度、電源電圧等の多様なモニタ機能及び／又は検出機能を備えるようになっている。本発明ではその内の受光パワーのモニタ機能又は受光パワーのアラーム機能をＬＯＳ検出のために用いる。【００２４】
また、本例で新たに追加されたＬＯＳ制御部４は、光トランシーバ１からの受光パワー低下情報及びＬＯＳアラームと、クロック・データ再生部２からのＬＯＬアラームとを受けて、その内の受光パワー低下情報及びＬＯＬアラームに基づいて光トランシーバ１からデータ処理部３へのＬＯＳアラームの通過を制御する。データ処理部３は、ＬＯＳアラームが与えられると図１の従来例と同様の処理を実行する。【００２５】
別に、ＬＯＳ制御部４は、光トランシーバ１からの受光パワー低下情報に基づいて、双方が重度の障害（ＢＥＲ ＩＥ−４）を示す光トランシーバ１からのＬＯＳアラーム又はクロック・データ再生部２からのＬＯＬアラームのいずれか一方を出力するようにしてもよい（後述する図５参照）。データ処理部３は、ＬＯＬアラームが与えられると図２の従来例と同様の処理を実行する。【００２６】
図４には、ＬＯＳ制御部４の制御フローの一例を示している。
本例では、ＬＯＳ制御部４が、光トランシーバ１からの受光パワー低下情報（本例では、受光パワー低下アラーム）を監視して、その有無を判定する（Ｓ０１）。受光パワー低下アラームは、例えば所定周期毎に計測される受光パワー値又はその平均値が、最小受光パワー保証値以下になったときに出力される。【００２７】
受光パワー低下アラームを検出しない場合（ＯＦＦ）は、光トランシーバ１からのＬＯＳアラームを監視してその有無を判定する（Ｓ０３）。ＬＯＳアラームを検出すると（ＯＮ）それをデータ処理部３へ出力する（Ｓ０４）。一方、ＬＯＳアラームを検出しないときには（ＯＦＦ）、受光パワー低下アラームの監視に戻る（Ｓ０１）。【００２８】
このように、受光パワー低下アラームを検出しない状態（受光パワーが最小受光パワー値以上）では、ＬＯＳ制御部４は入力されたＬＯＳアラームをそのまま情報処理部３へ出力することで１００μＳの規定値を満足させることができる。【００２９】
一方、受光パワー低下アラームを検出した場合（ＯＮ）は、クロック・データ再生部２からのＬＯＬアラームを監視してその有無を判定する（Ｓ０２）。そこでＬＯＬアラームを検出すると（ＯＮ）、光トランシーバ１から入力されたＬＯＳアラームを通過させて情報処理部３へ出力する（Ｓ０４）。ＬＯＬアラームを検出しなときは（ＯＦＦ）、受光パワー低下アラームの監視に戻る（Ｓ０１）。【００３０】
このように、受光パワー低下アラームを検出した状態（受光パワーが最小受光パワー値以下）では、ＬＯＳ制御部４は、クロック・データ再生部２からのＬＯＬアラーム検出を条件（ＬＯＬの検出後）に入力されたＬＯＳアラームを情報処理部３へ出力する。これにより、ＳＤ、ＬＯＳの発生順序が守られる。【００３１】
図５は、ＬＯＳ制御部の具体的な回路構成の一例を示したものである。
図５において、ＬＯＳ制御部４のインバータ４１には、光トランシーバ１からの受光パワー低下アラームが入力され、次段のＡＮＤ回路４２にはインバータ４１の出力と光トランシーバ１からのＬＯＳアラームが入力される。従って、ＡＮＤ回路４２は、受光パワー低下アラームを検出しないときは（値“０”）、光トランシーバ１からのＬＯＳアラームをそのまま通過させる。反対に、受光パワー低下アラームを検出したときは（値“１”）、光トランシーバ１からのＬＯＳアラームの通過を禁止する。【００３２】
また、ＡＮＤ回路４３の一方の入力には光トランシーバ１からの受光パワー低下アラームが入力され、他方の入力にはクロック・データ再生部２からのＬＯＬアラームが入力される。従って、ＡＮＤ回路４３は、受光パワー低下アラームを検出しないときは（値“０”）、クロック・データ再生部２からのＬＯＬアラームの通過を禁止する。反対に、受光パワー低下アラームを検出したときは（値“１”）、クロック・データ再生部２からのＬＯＬアラームをそのまま通過させる。【００３３】
その結果、出力段のＯＲ回路４４からは、受光パワー低下アラームの有無によって、光トランシーバ１からのＬＯＳアラーム又はクロック・データ再生部２からのＬＯＬアラームのいずれか一方が出力される。なお、本例ではＬＯＳ及びＬＯＬの各障害レベルが共にＳＦの障害レベル（ＢＥＲ ＩＥ−４）と等しいことから、図中の出力アラームをＬＯＳアラームで表示して示している。【００３４】
本例では、光トランシーバ１からの受光パワー低下アラーム（受光レベルのモニタ信号でもよい）により受光パワーを監視し、光伝送装置が保証する受光パワーの最小値以上では光トランシーバ１の受光パワーによるＬＯＳ監視を有効にし、受光パワーの最小値以下では受光パワーによるＬＯＳアラームを無効にし、クロック・データ再生部２からのＬＯＬアラームを監視する。【００３５】
その結果、光伝送装置が保証する受光パワーの範囲内では、光入力断から１００μＳ以内でのＬＯＳ検出が可能となる。また、受光パワーが保証値以下となった場合は、ＢＥＲを用いたＳＤ検出後に出力されるＬＯＬアラームによってＬＯＳ検出とみなすことで、ＳＤからＬＯＳへの障害発生順序を守ることができる。【００３６】
図６及び７は、本発明による光入力断検出装置の動作タイムチャートの一例を示している。ここでは、図６は受光パワーが光入力断検出装置が保証する最小受光パワー値よりも大きい場合の一例を、そして図７は受光パワーが光入力断検出装置が保証する最小値受光パワー値よりも小さい場合の一例をそれぞれ示している。【００３７】
図６は、図６の（ａ）に示すように最小受光パワーよりも十分大きな受光パワーの光信号が入力されている状態で、突然ファイバケーブルの切断等による重度の障害（ＳＦ）が発生し、光入力パワーがゼロとなった場合の一動作例を示している。この場合、光トランシーバ１が出力する受光パワー低下アラームは、数ｍＳ〜数十ｍＳの周期毎に計測される受光パワー値やそれらの平均値と、最小受光パワー値（図７の（ａ）の受光パワーアラーム閾値を参照）との比較によって出力されるため、その出力は光入力断から前記所定周期によるｍＳのオーダで遅延する（図６の（ｂ））。ＬＯＳ制御部４は、この受光パワー低下アラームが出力されるまでは最小受光パワーよりも大きな受光パワーの光信号が入力されている状態と判定する。なお、受光パワー低下アラームの出力ライン（図４の４１の入力）に、例えば容量素子を付加することでその出力を１ｍｓ程度遅延させ、その間に図６の（ａ）に示すような受信パワーの瞬時変動を検出してＬＯＳアラームが確実に出力されるようにしてもよい（図５の４２参照）。【００３８】
一方、光トランシーバ１が出力するＬＯＳアラームは、光入力パワーと受光パワーのＬＯＳ閾値（図７の（ａ）参照）との単純な比較によって検出される。そのため、ＬＯＳアラームは図６の（ｃ）に示すように光入力断とほぼ同時に出力される。なお、本例では図６（ｄ）に示すクロック・データ再生部２からのＬＯＬアラームは無視される。【００３９】
受光パワーが最小受光パワーよりも大きな本例では、図６の（ｅ）に示すように光トランシーバ１からのＬＯＳアラームはＬＯＳ制御部４をそのまま通過してデータ処理部３へ出力され、データ処理部３ではそれを受けて直ちにアラーム処理を開始する。従って、図中に示すように、ＬＯＳアラームを使えばＳＦ検出時間（Ｔ）の規定である１００μＳを十分に満足させることができる。【００４０】
図７は、局間装置や伝送路の経年劣化や周囲温度の変化等によって光入力パワーが徐々に低下していき（図７の（ａ））、その光入力パワーが受光パワーアラーム閾値や受光パワーのＬＯＳ閾値よりもさらに低下した場合の一動作例を示している。ここで、受光パワーアラーム閾値よりも大きな受光パワーの光入力信号はエラーフリーに受信可能であり、受光パワーのＬＯＳ閾値よりも小さな受光パワーの光入力信号は受信不可能であり、そして受光パワーアラーム閾値と受光パワーのＬＯＳ閾値との間の受光パワーをもつ光入力信号は現用システムの継続運用が可能なＢＥＲレベル（ＳＤ）の受信が可能である。【００４１】
本例は、動作開始時に受光パワーアラーム閾値と受光パワーのＬＯＳ閾値との間の中間の受光パワーをもつ光信号が対象とされる。そのため、図６の場合のように回線切断等によって当初から中間の受光パワーを考慮する必要のない重度の障害（ＳＦ）は本例の対象から除かれる。【００４２】
図７の（ｂ）に示すように、受光パワー低下アラームは、光入力信号の受光パワーが受光パワーアラーム閾値よりも低下した時点で出力される。ＬＯＳ制御部４は、この受光パワー低下アラームの検出時点から少なくともクロック・データ再生部２からのＬＯＬアラームを検出するまでの間、光トランシーバ１からのＬＯＳアラームを無視する（図７の（ｂ）〜（ｄ）参照）。【００４３】
この間において、光トランシーバ１は光入力信号の受光パワーが受光パワーのＬＯＳ閾値よりも低下した時点でＬＯＳアラームを出力する（図７の（ｃ））。また、データ処理部３はＢＥＲの算出を繰り返し行い、ＢＥＲがＩＥ−６となった時点で受信状態をＳＤレベルと判定してその情報を記録する。さらに、ＬＯＳ制御部４は、ＢＥＲがＩＥ−４近辺でクロック・データ再生部２からのＬＯＬアラームを検出する（図７の（ｄ））。【００４４】
これにより、ＬＯＳ制御部４は、ＬＯＬアラームを検出した時点で現に存在する光トランシーバ１からのＬＯＳアラーム又は検出したＬＯＬアラームをＬＯＳアラームとしてデータ処理部３へ出力する（図７の（ｅ））。データ処理部３は、それを受けて重度の障害処理（ＳＦ）を開始する。このように、本例によれば受光パワー低下アラームが出力されている状態で、ＳＤ、ＳＦの発生順序が確実に保証される。【００４５】
図８〜１０は、本発明による光入力断検出装置の第２の実施例を示したものである。
図３の第１の実施例と図８との相違点は、図３ではクロック・データ再生部２のＰＬＬ回路等から出力されるＬＯＬアラームがＬＯＳ制御部４に出力されているのに対して、本例ではデータ処理部３が図３のＬＯＬアラーム相当のＢＥＲレベルＩＥ−４をＳＤ同様にソフトウェア演算によって求め、それをＬＯＬアラームに代わるビット・エラー・アラームとしてＬＯＳ制御部４に出力している点である。それ以外は第１の実施例と同様である。【００４６】
このため、第２の実施例の動作例を示す図９及び１０においても、図９の（ｄ）がデータ処理部のビット・エラー・アラームに、そして図１０の（ｄ）がデータ処理部のビット・エラー・アラームに変更されている。これら以外は第１の実施例の図６及び７と同様である。従って、本発明による第２の実施例については、第１の実施例と重複した説明を回避するためにこれ以上は説明しない。【００４７】
以上、本発明によれば光入力パワーが最小受信レベル以上のときには光入力断（ＬＯＳ）を直ちに発生し、最小受信レベル以下のときにはＳＤからＬＯＳの順序で発出させることが可能となる。
【図１】
0004528827.tif 000002
【図２】
0004528827.tif 000003
【図３】
0004528827.tif 000004
【図４】
0004528827.tif 000005
【図５】
0004528827.tif 000006
【図６】
0004528827.tif 000007
【図７】
0004528827.tif 000008
【図８】
0004528827.tif 000009
【図９】
0004528827.tif 000010
【図１０】
0004528827.tif 000011